【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
三次元モデルにブレンド面加工を実行するブレンド加工実行手段を備える三次元モデル作成アプリケーションに前記ブレンド面加工を実行するように要求する情報処理装置で読み取り実行可能なプログラムであって、
前記情報処理装置を、
前記三次元モデル作成アプリケーションにより表示されている三次元モデルから、交点がある複数のエッジ部を、前記ブレンド面加工を実行するエッジ部として受け付ける受付手段と、
前記受け付けた複数のエッジ部に対して前記ブレンド面加工を複数のステップで実行する場合の、前記複数のエッジ部を選択するブレンドの手順を組みかえた実行順序パターンを特定する特定手段と、
前記受け付けた複数のエッジ部に対して、前記特定した実行順序パターンによるブレンドの手順で前記ブレンド面加工が実行された場合の三次元モデルをシミュレーションするシミュレーション手段と、
前記シミュレーションした三次元モデルの中で、交点のブレント形状が同じである三次元モデルをグループ化するグループ化手段と、
前記交点のブレント形状が同じである三次元モデルにそれぞれグループ化された複数の三次元モデルを、交点のブレント形状が異なる三次元モデルとして比較可能に表示するシミュレーション表示手段と、
して機能させることを特徴とするプログラム。
【請求項２】
前記情報処理装置を、
前記特定した実行順序パターンによるブレンドの手順で前記ブレンド面加工が実行された場合にシミュレーションされる三次元モデルの容積をそれぞれ算出する容積算出手段として更に機能させ、
前記グループ化手段が、前記シミュレーションされる三次元モデルのなかで前記算出した容積が等しい三次元モデルをグループ化することを特徴とする請求項１に記載のプログラム。
【請求項３】
前記受付手段が受け付ける複数のエッジ部は、三カ所以上であって、
前記情報処理装置を、
前記受け付けた三カ所以上のエッジ部全てを選択し、前記受け付けた複数のエッジ部に対して前記ブレンド面加工を同時に実行する場合のブレンドの手順を前記実行順序パターンとして特定するべく抽出する第１の抽出手段と、
前記受け付けた三カ所以上のエッジ部を一カ所毎に刻んで選択し、前記受け付けた複数のエッジ部に対して前記ブレンド面加工を一カ所毎に刻んで実行する場合のブレンドの手順を前記実行順序パターンとして特定するべく抽出する第２の抽出手段と、
して更に機能させることを特徴とする請求項１または請求項２に記載のプログラム。
【請求項４】
前記情報処理装置を、
前記特定手段が特定した前記複数のエッジ部を選択するブレンドの手順を組みかえた実行順序パターンの中で少なくとも１つの実行順序パターンを、前記グループ化された複数の三次元モデルにそれぞれ対応する実行順序パターンとして区分して表示する実行順序パターン表示手段と、
して更に機能させることを特徴とする請求項１乃至請求項３のいずれか１項に記載のプログラム。
【請求項５】
実行順序パターン表示手段が区分して表示する実行順序パターンは、前記受け付けた複
数のエッジ部全てに前記ブレンド面加工が実行完了されるまでのブレンドの手順数が最も少ないものであることを特徴とする請求項４に記載のプログラム。
【請求項６】
三次元モデルにブレンド面加工を実行するブレンド加工実行手段を備える三次元モデル作成アプリケーションに前記ブレンド面加工を実行するように要求する情報処理装置であって、
前記三次元モデル作成アプリケーションにより表示されている三次元モデルから、交点がある複数のエッジ部を、前記ブレンド面加工を実行するエッジ部として受け付ける受付手段と、
前記受け付けた複数のエッジ部に対して前記ブレンド面加工を複数のステップで実行する場合の、前記複数のエッジ部を選択するブレンドの手順を組みかえた実行順序パターンを特定する特定手段と、
前記受け付けた複数のエッジ部に対して、前記特定した実行順序パターンによるブレンドの手順で前記ブレンド面加工が実行された場合の三次元モデルをシミュレーションするシミュレーション手段と、
前記シミュレーションした三次元モデルの中で、交点のブレント形状が同じである三次元モデルをグループ化するグループ化手段と、
前記交点のブレント形状が同じである三次元モデルにそれぞれグループ化された複数の三次元モデルを、交点のブレント形状が異なる三次元モデルとして比較可能に表示するシミュレーション表示手段と、
を備えることを特徴とする情報処理装置。
【請求項７】
三次元モデルにブレンド面加工を実行するブレンド加工実行手段を備える三次元モデル作成アプリケーションに前記ブレンド面加工を実行するように要求する情報処理装置の制御方法であって、
前記情報処理装置の受付手段が、前記三次元モデル作成アプリケーションにより表示されている三次元モデルから、交点がある複数のエッジ部を、前記ブレンド面加工を実行するエッジ部として受け付ける受付工程と、
前記情報処理装置の特定手段が、前記受け付けた複数のエッジ部に対して前記ブレンド面加工を複数のステップで実行する場合の、前記複数のエッジ部を選択するブレンドの手順を組みかえた実行順序パターンを特定する特定工程と、
前記情報処理装置のシミュレーション手段が、前記受け付けた複数のエッジ部に対して、前記特定した実行順序パターンによるブレンドの手順で前記ブレンド面加工が実行された場合の三次元モデルをシミュレーションするシミュレーション工程と、
前記情報処理装置のグループ化手段が、前記シミュレーションした三次元モデルの中で、交点のブレント形状が同じである三次元モデルをグループ化するグループ化工程と、
前記情報処理装置のシミュレーション表示手段が、前記交点のブレント形状が同じである三次元モデルにそれぞれグループ化された複数の三次元モデルを、交点のブレント形状が異なる三次元モデルとして比較可能に表示するシミュレーション表示工程と、
を含むことを特徴とする制御方法。
【手続補正２】
【補正対象書類名】明細書
【補正対象項目名】発明の名称
【補正方法】変更
【補正の内容】
【発明の名称】情報処理装置、およびその制御方法とプログラム。
【手続補正３】
【補正対象書類名】明細書
【補正対象項目名】０００１
【補正方法】変更
【補正の内容】
【０００１】
本発明は特に三次元化したＣＡＤ図面を表示する情報処理装置、およびその制御方法とプログラムの技術に関する。
【手続補正４】
【補正対象書類名】明細書
【補正対象項目名】０００７
【補正方法】変更
【補正の内容】
【０００７】
本願発明は、三次元モデルにブレンド面加工を実行するブレンド加工実行手段を備える三次元モデル作成アプリケーションに前記ブレンド面加工を実行するように要求する情報処理装置で読み取り実行可能なプログラムであって、前記情報処理装置を、前記三次元モデル作成アプリケーションにより表示されている三次元モデルから、交点がある複数のエッジ部を、前記ブレンド面加工を実行するエッジ部として受け付ける受付手段と、前記受け付けた複数のエッジ部に対して前記ブレンド面加工を複数のステップで実行する場合の、前記複数のエッジ部を選択するブレンドの手順を組みかえた実行順序パターンを特定する特定手段と、前記受け付けた複数のエッジ部に対して、前記特定した実行順序パターンによるブレンドの手順で前記ブレンド面加工が実行された場合の三次元モデルをシミュレーションするシミュレーション手段と、前記シミュレーションした三次元モデルの中で、交点のブレント形状が同じである三次元モデルをグループ化するグループ化手段と、前記交点のブレント形状が同じである三次元モデルにそれぞれグループ化された複数の三次元モデルを、交点のブレント形状が異なる三次元モデルとして比較可能に表示するシミュレーション表示手段と、して機能させることを特徴とする。
【手続補正５】
【補正対象書類名】明細書
【補正対象項目名】０００８
【補正方法】変更
【補正の内容】
【０００８】
また、前記情報処理装置を、前記特定した実行順序パターンによるブレンドの手順で前記ブレンド面加工が実行された場合にシミュレーションされる三次元モデルの容積をそれぞれ算出する容積算出手段として更に機能させ、前記グループ化手段が、前記シミュレーションされる三次元モデルのなかで前記算出した容積が等しい三次元モデルをグループ化することを特徴とする。
【手続補正６】
【補正対象書類名】明細書
【補正対象項目名】０００９
【補正方法】変更
【補正の内容】
【０００９】
また、前記受付手段が受け付ける複数のエッジ部は、三カ所以上であって、前記情報処理装置を、前記受け付けた三カ所以上のエッジ部全てを選択し、前記受け付けた複数のエッジ部に対して前記ブレンド面加工を同時に実行する場合のブレンドの手順を前記実行順序パターンとして特定するべく抽出する第１の抽出手段と、前記受け付けた三カ所以上のエッジ部を一カ所毎に刻んで選択し、前記受け付けた複数のエッジ部に対して前記ブレンド面加工を一カ所毎に刻んで実行する場合のブレンドの手順を前記実行順序パターンとして特定するべく抽出する第２の抽出手段と、して更に機能させることを特徴とする。
【手続補正７】
【補正対象書類名】明細書
【補正対象項目名】００１０
【補正方法】変更
【補正の内容】
【００１０】
また、前記情報処理装置を、前記特定手段が特定した前記複数のエッジ部を選択するブレンドの手順を組みかえた実行順序パターンの中で少なくとも１つの実行順序パターンを、前記グループ化された複数の三次元モデルにそれぞれ対応する実行順序パターンとして区分して表示する実行順序パターン表示手段と、して更に機能させることを特徴とする。
また、実行順序パターン表示手段が区分して表示する実行順序パターンは、前記受け付けた複数のエッジ部全てに前記ブレンド面加工が実行完了されるまでのブレンドの手順数が最も少ないものであることを特徴とする。